(57)【要約】【課題】テレメータシステムでは、観測データを如何に短時間で上位装置に伝送するかが重要な要件のひとつであるが、標準仕様化された従来の伝送手順では無線回線のＳ／Ｎ劣化などにより収集時間が大きくなる場合があり改善が求められていた。本発明はこのような背景のもとで行われたもので、収集時間の増加を抑制することに関する。【解決手段】  一括呼出制御において、各観測局が設定し得る最も速い伝送速度での受信及び送信を指令し、個別呼出制御において、対象となる観測局が設定し得る最も遅い速度での受信及び送信を指令することによる。【選択図】図６
2009188653.tif 000002
【特許請求の範囲】
【請求項１】
監視局と複数の観測局とからなり、監視局が観測局へ一括呼出信号を送出し、各観測局が観測データを監視局へ順次送信する一括呼出制御方式のテレメータシステムにおいて、
一括呼出信号の最前部に、観測局の装置が設定し得る最も速い伝送速度で一括呼出信号を受信し及び観測データを送信させる制御信号を付加し、また、監視局において受信不能の観測局があった場合に、対象となる観測局に対しておこなう個別呼出信号の最前部に、当該観測局の装置が設定し得る最も遅い伝送速度で個別呼出信号を受信し及び観測データを送信させる制御信号を付加するように、監視局が観測局に対して伝送速度変更の制御を行うテレメータシステム。
【発明の詳細な説明】
【技術分野】
【０００１】
本発明は、監視局と複数の観測局とからなるテレメータシステムにおいて、監視局から観測局へ一括呼出信号を送出し、観測局が観測データを送信する一括呼出方式で、監視局でのデータ収集を効率よく行なうことに関する。
【背景技術】
【０００２】
テレメータシステムでは、データ収集の伝送方式として、伝送フォーマット、信号送出タイムチャート、伝送手順等を定めた標準仕様書が整備され、個々のシステム構築に際しての、標準仕様に基づくシステム設計が行われていることが多い。
【０００３】
テレメータシステムに求められる要件の一つとして、観測局が観測データをできるだけ速く上位装置へ送出することがあり、テレメータシステムでは全観測局のデータ収集時間の許容値を設定し、この許容値内にデータ収集を完了するようにしている。
【０００４】
図１は監視局と複数の観測局（観測局１、観測局２、・・・、観測局Ｎ）によるテレメータシステムの構成例である。一括呼出制御方式のテレメータシステムでは、監視局から観測局へ向けて呼出を行い、観測局が予め定められた手順にしたがって観測データを監視局へ送信する。
監視局と複数の観測局との間の伝送路（伝送路１、伝送路２、・・・、伝送路Ｎ）の構成形態は、無線伝送路と有線伝送路が混在する場合と、いずれか一方のみの場合とがある。
【０００５】
無線伝送路では無線回線特有のフェージングが避けられないため、回線設計に際して必要なフェージングマージンを見込むことでシステム全体としての品質と信頼性等を確保している。
【０００６】
図２は、監視局が観測局に対して一括呼出を行い、各観測局が予め定められた手順にしたがい応答する様子を示したタイミングチャート例である。まず、監視局が観測局１、観測局２および観測局３に向けて通常の伝送速度で３連送の一括呼出信号２０１を送出する。ここで、標準仕様化された機器では複数の伝送速度が準備されており、個々のシステムの設計に際して適切な伝送速度が選定されており、通常の伝送速度とは、そのように選定された伝送速度を表している。観測局１、観測局２および観測局３は、監視局からの一括呼出信号２０１を受信すると、装置の電源を起動し、スケルチレベルを検出し、返送信号の送出準備を行う２０２。一括呼出信号の送出が完了してから、予め定められた時間が経過すると、観測局１が返送信号ｃ１、２０４を、観測局２が返送信号ｃ２、２０５を、観測局３が観測データｃ３、２０６を、それぞれ順番に監視局へ向けて送出する。各観測局は返送信号を送出すると、装置電源を断とし、一括呼出に対する応答を終了する。監視局は各観測局からの観測データを順次受信２０７し、観測データの収集を完了する。
【０００７】
しかしながら、監視局が一部の観測局からの観測データを正常に受信出来ず、観測データの収集を完了できない場合もある。
監視局が観測局からの観測データを正常に受信出来ない形態としては、観測局からの電波を受信できているが観測データを正常に復調、復号出来ない場合と、観測局からの電波自体の着信が確認できない場合とがある。前者は、観測局が観測データ（電波）を送出したにもかかわらず、観測局から監視局へ向かう上り回線のＳ／Ｎ不足により監視局側で正常に復調、復号出来ていない可能性が高く、後者は、観測局が監視局からの一括呼出信号を認識出来なかかったために観測データ（電波）を送出していない可能性が高い。
【０００８】
図３は、一括呼出に対して、監視局が一部の観測局からの観測データの収集を完了できない態様を示したもので、以下に順を追って説明する。
まず、監視局が観測局１、観測局２および観測局３に対して通常の伝送速度で一括呼出信号（三連送）３０１を送出し、観測局１、観測局２および観測局３が電源を起動し、スケルチレベルを検出し、観測データの送出準備をおこない３０２、順次、観測データｃ１、３０４、観測データｃ２、３０５及び観測データｃ３、３０６を送出する。これに対し、監視局は、観測局１からの観測データｃ１、３０４および観測局２からの観測データｃ２、３０５を受信できたが、観測局３からの観測データｃ３、３０６は正常に受信出来なかった（×印）。
次に、監視局は、標準仕様の伝送手順に則り、観測局３に対して個別呼出信号ｂ、３０８を送出する。すると、観測局３が再び電源を起動し、スケルチレベルを検出３０９し、観測データｄ、３１０を監視局へ送出するが、当初の一括呼出に対する送出と同じ伝送速度であるため、上り回線（観測局３→観測局）のＳ／Ｎが改善されていない限り、監視局では正常な受信が出来ない状況が繰り返される３１１可能性が高い（×印）。
【０００９】
図４は、一括呼出に対して、監視局が観測局からの観測データの収集を完了できない他の態様を示したもので、以下に順を追って説明する。
まず、監視局が観測局１、観測局２および観測局３に対して通常の伝送速度で一括呼出信号４０１を送出する。観測局側では、観測局１および観測局２は正常に受信できた４０２が、観測局３は三連送の呼出信号のいずれに対しても受信出来なかった（×印）。観測局３が一括呼出信号を正常に受信できない主な要因は、下り回線（監視局→観測局３）のＳ／Ｎ不足の可能性が高い。この場合、当然ながら、監視局では、観測局１からの観測データｃ１、４０４及び観測局２からの観測データｃ２、４０５は正常に受信できるが、観測局３からの観測データ（電波）が送出されないため、監視局では観測局３からの電波を受信できない。
次に、監視局は、標準仕様の伝送手順に則り、観測局３に対して個別呼出信号ｂ、４０８を送出するが、当初の一括呼出に対する送出と同じ伝送速度であるため、下り回線（監視局→観測局３）のＳ／Ｎが改善されていない限り、観測局３は正常な受信が出来ず、観測データ（電波）の送出を行わないため、監視局では観測局３からの観測データ（電波）を受信できない状況４１１が繰り返される（×印）。
【００１０】
【特許文献１】特開２０００−２６７８９２ 遠隔監視情報の収集方法
【特許文献２】特開平５−３０１１８  監視システム用ポーリング方式
【発明の開示】
【発明が解決しようとする課題】
【００１１】
適切な回線設計を行ったにも拘わらず、無線区間のフェージングに起因する回線Ｓ／Ｎ劣化などのために、個別呼出を行っても情報収集が円滑に行えず、結果としてデータ収集時間が増加してしまうという問題があった。
【００１２】
本発明はこのような背景のもとで行われたもので、情報収集にかかる伝送手順の一部を見直すことで、回線Ｓ／Ｎの劣化などに起因するデータ収集時間の増加を抑制することに関する。
【課題を解決するための手段】
【００１３】
監視局と複数の観測局とからなり、監視局が観測局へ一括呼出信号を送出し、各観測局が観測データを監視局へ順次送信する一括呼出制御方式のテレメータシステムにおいて、一括呼出信号の最前部に、観測局の装置が設定し得る最も速い伝送速度で一括呼出信号を受信し及び観測データを送信させる制御信号を付加し、また、監視局において受信不能の観測局があった場合に対象となる観測局に対しておこなう個別呼出信号の最前部に、当該観測局の装置が設定し得る最も遅い伝送速度で個別呼出信号を受信し及び観測データを送信させる制御信号を付加することで、監視局が観測局に対して伝送速度変更の制御を行う。
【発明の効果】
【００１４】
一括呼出制御方式にかかる伝送手順で、受信できない観測局に対する個別呼出に関して本発明を適用することにより、無線伝送区間のＳ／Ｎ劣化などにより長くなりがちなテレメータシステムのデータ収集時間の増加を、従来の標準手順による場合よりも抑制できる。
【実施例】
【００１５】
以下に本発明の実施形態について図面を示しながら説明する。なお、本例は実施形態の一部を示すものであり本発明の技術的範囲を限定するものではない。
【００１６】
図５は、監視局が一括呼出を行う際、従来の伝送手順による一括呼出信号（三連送）５０４の前部に、本発明が提案する伝送速度変更指令信号５０１を付加した一括呼出信号５００を示したものである。下り回線（監視局→観測局）および上り回線（観測局→監視局）の回線品質が共に設計値を満たしていれば、標準仕様に基づく伝送手順に、本発明が提案する伝送速度変更指令信号５０１に拘わる処理時間が増分として加算されるが、全体時間に対する増加率は僅少にとどまる。
【００１７】
図６は、監視局が一括呼出を行う際、従来の一括呼出信号（三連送）６０４の前部に、本発明で提案する伝送速度変更指令信号６０１を付加した一括呼出信号６００を送信したところ、観測局３からの信号ｃ３、６０９を監視局が正常に受信出来なかった様子６１０を示したものである（×印）。ここでは上り回線（観測局３→監視局）のＳ／Ｎが回線設計値よりも低く、監視局で正常な受信ができない状況となっている可能性が高い。
このような場合、本発明は、正常に信号を受信できなかった観測局３へ向けた個別呼出信号（１回）６１３の前部に、伝送速度変更指令信号６１１を付加する。伝送速度変更指令信号６１１は、観測局３に対して、電源起動とスケルチレベルの検出６１２を実施させるとともに、伝送速度変更指令信号終了後の速度変更を指令するものである。伝送速度変更指令信号をうけた観測局３は、受信および送信の伝送速度を設定しうる最も遅い速度に変更する。観測局３は、個別呼出信号６１３を最も遅い伝送速度で受信６１４する。つぎに、観測局３は、個別呼出信号６１３の終了後直ちに、最も遅い伝送速度で返送信号ｄ、６１５を送出する。このようにして、監視局は、観測局３からの返送信号ｄ、６１５を正常に受信６１６することができる（○印）。
【００１８】
図７は、監視局が一括呼出を行う際、従来の一括呼出信号（三連送）７０４の前部に、本発明で提案する伝送速度変更指令信号７０１を付加した一括呼出信号７００を送信したところ、観測局３からの返送信号を監視局が正常に受信出来なかった様子７１０を示したものである（受信入力なし、×印）。ここでは下り回線（監視局→観測局３）のＳ／Ｎが回線設計値よりも低く、観測局３で正常な受信ができない状況７０５となっており、監視局３が信号を送出しなかった可能性が高い（×印）。
このような場合、本発明では、正常に信号を受信できなかった観測局３に対する個別呼出信号（１回）７１３の前に伝送速度変更指令信号７１１を付加した呼出信号７１７送信する。伝送速度変更指令信号７１１は、観測局３に対して、電源起動とスケルチレベルの検出７１２を実施させるとともに、伝送速度変更指令信号を受信後の伝送速度の変更を指令するものである。伝送速度変更指令信号７１１をうけた観測局３は、受信および送信の伝送速度を、設定し得る最も遅い速度に変更し、個別呼出信号（１回）７１３を最も遅い伝送速度で受信７１４し、個別呼出信号（１回）７１３の終了後直ちに、最も遅い伝送速度で返送信号ｄ、７１５を送出し、電源を断とする。こうして、監視局は、観測局３からの信号ｄ、７１５を正常に受信７１６することができる（○印）。  
【図面の簡単な説明】
【００１９】
【図１】システム構成
【図２】従来の一括呼出
【図３】従来の一括呼出と個別呼出
【図４】従来の一括呼出と個別呼出
【図５】変更指令を付加した一括呼出
【図６】変更指令を付加した一括呼出と個別呼出
【図７】変更指令を付加した一括呼出と個別呼出
【符号の説明】
【００２０】
２０１・・・一括呼出信号（三連送）、２０２・・・電源起動・スケルチ検出、２０３・・・観測局返送信号、２０４・・・観測局１送出信号、  ２０５・・・観測局２送出信号、２０６・・・観測局３送出信号、２０７・・・監視局受信、３０１・・・一括呼出信号（三連送）、３０２・・・電源起動・スケルチ検出、３０３・・・観測局送出信号、３０４・・・観測局１送出信号、  ３０５・・・観測局２送出信号、３０６・・・観測局３送出信号、３０７・・・監視局受信、３０８・・・個別呼出信号、３０９・・・電源起動・スケルチ検出、３１０・・・観測局３送出信号、３１１・・・受信異常（観測局３）、４０１・・・一括呼出信号（三連送）、４０２・・・電源起動・スケルチ検出・観測局３受信異常、４０３・・・観測局送出信号、４０４・・・観測局１送出信号、  ４０５・・・観測局２送出信号、４０７・・・監視局受信異常（観測局３）、４０８・・・個別呼出信号、４０９・・・電源起動・スケルチ検出・観測局３受信異常、４１１・・・受信異常（観測局３）、５００・・・一括呼出信号、５０１・・・伝送速度変更指令信号、５０２・・・電源起動・スケルチ検出、５０３・・・伝送速度変更、５０４・・・一括呼出信号（三連送）、５０５・・・一括呼出信号受信、５０６・・・観測局送出信号、５０７・・・観測局１送出信号、５０８・・・観測局２送出信号、５０９・・・観測局３送出信号、５１０・・・全局正常受信、６００・・・一括呼出信号、６０１・・・伝送速度変更指令信号、６０２・・・電源起動・スケルチ検出、６０３・・・伝送速度変更、６０４・・・一括呼出信号（三連送）、６０５・・・一括呼出信号受信、６０６・・・観測局送出信号、６０７・・・観測局１送出信号、６０８・・・観測局２送出信号、６０９・・・観測局３送出信号、６１０・・・受信異常（観測局３）、６１１・・・伝送速度変更指令信号、６１２・・・電源起動・スケルチ検出、６１３・・・個別呼出信号（１回）、６１４・・・個別呼出信号受信、６１５・・・観測局３送出信号、６１６・・・正常受信（観測局３）、７０１・・・伝送速度変更指令信号、７０２・・・電源起動・スケルチ検出、７０３・・・伝送速度変更、７０４・・・一括呼出信号（三連送）、７０５・・・一括呼出信号受信・観測局３受信異常、７０６・・・観測局送出信号、７０７・・・観測局１送出信号、７０８・・・観測局２送出信号、７１０・・・受信異常（観測局３）、７１１・・・伝送速度変更指令信号、７１２・・・電源起動・スケルチ検出、７１３・・・個別呼出信号（１回）、７１４・・・個別呼出信号受信、７１５・・・観測局３送出信号、７１６・・・正常受信（観測局３）、
【図１】
2009188653.tif 000003
【図２】
2009188653.tif 000004
【図３】
2009188653.tif 000005
【図４】
2009188653.tif 000006
【図５】
2009188653.tif 000007
【図６】
2009188653.tif 000008
【図７】
2009188653.tif 000009